(57)【要約】【課題】押し釦部とハウジングとの間の隙間を極めて小さくすることができ、摺動部が滑らかに摺動する釦スイッチを提供し、ごみ、埃等の侵入による故障を防止し、美感を与える外観設計を可能とし、摺動部へのグリスの塗布を不要とする。【解決手段】釦スイッチのハウジングに、ハウジングと一体になるように固定されたばね部及びばね突起部を備え、ばね部及びばね突起部が摺動体をハウジングに対して付勢する。これにより、摺動体の係合突起片がハウジングのガイドレールと面と面で接触し、摺動体のハウジングに対する位置が決まり、押し釦部のハウジングに対する位置が決まり、押し釦部とハウジングとの間の隙間を極めて小さく設定することが可能となる。摺動体の係合突起片はハウジングのガイドレールに沿って滑らかに摺動し、摺動部にグリスの塗布が不要となる。【選択図】図１
2008066226.tif 000002
【特許請求の範囲】
【請求項１】
ハウジングに組み込まれて固定されたばね部及びばね突起部と、
ハウジング内を摺動する摺動体と、
摺動体の上端部に取り付けられた押し釦部とを備え、
更に、摺動体が摺動方向に平行に延びる係合突起片を備え、
ハウジングが摺動方向に平行に延びるガイドレールを備え、
前記ばね部及びばね突起部が摺動体をハウジングに対して摺動方向と略直角方向に付勢することにより、摺動体の係合突起片の摺動方向に平行な面を、ハウジングのガイドレールの摺動方向に平行な面と接触させるとともに、接触した状態で摺動体の係合突起片をガイドレールの摺動方向に平行な面に沿って滑らかに摺動させ、
それにより静止時及び摺動時の摺動体のハウジングに対する位置と、
押し釦部のハウジングに対する位置とを定め、
押し釦部とハウジングとの間の隙間を極めて小さく設定したことを特徴とする、釦スイッチ。
【請求項２】
前記ばね部及びばね突起部が一体成形された樹脂製であることを特徴とする、請求項１に記載の釦スイッチ。
【請求項３】
前記ばね部及びばね突起部とハウジングとが一体成形された樹脂製であることを特徴とする、請求項１又は２に記載の釦スイッチ。
【発明の詳細な説明】
【技術分野】
【０００１】
本発明は、釦スイッチに関する。
【背景技術】
【０００２】
特許文献１には、各種装置の操作部に取り付けられる釦スイッチが開示されており、特に車両等でヒーターコントロールスイッチとして用いられる釦スイッチが開示されている。
【０００３】
釦スイッチの押し釦部は摺動体の上端部に取り付けられ、摺動体は摺動方向に平行に延びる係合突起片を有し、ハウジングは摺動方向に平行に延びるガイドレールを有し、係合突起片がガイドレールに案内されて、ガイドレール内を摺動する。
【０００４】
特許文献１の釦スイッチでは、摺動体がガイドレール内を摺動するためには、係合突起片とガイドレールの間に隙間が必要であると考えられていた。この場合、係合突起片とガイドレールは面と面の接触とならず、摺動体に沿った係合突起片の全長は、ガイドレール内を傾いて摺動するため、局所的な接触箇所において、局所的に力が集中し、摩擦力又は引っかかり等のために滑らかに動かない結果となる。このためグリスをガイドレールの溝内、あるいは係合突起片の外周に塗布することが必要であった。
【０００５】
また、摺動体のこのような動きのために、特許文献１の釦スイッチでは、押し釦部がハウジング内でどの方向に偏るか決まっていなかった。従って、押し釦部の全周、即ち、略長方形の押し釦部についてはその４辺全てについて、ハウジングとの間に、摺動体とガイドレールとの間の隙間よりも更に大きな隙間が設けられており、例えば0.3mmから0.5mmの範囲の隙間が設けられていた。
【０００６】
【特許文献１】実開平６−２６１２５号公報
【発明の開示】
【発明が解決しようとする課題】
【０００７】
特許文献１の釦スイッチでは、押し釦部とハウジングの間の大きな隙間が、ごみ、埃等の侵入による故障の発生の原因となり、また、美感を重視する外観設計上の支障となっていた。更に、摺動部に塗布されたグリスがスイッチを汚染する問題があった。
【０００８】
本発明は、上記問題点に鑑み、押し釦部とハウジングとの間の隙間を極めて小さくすることができ、また、滑らかに摺動し、グリスを塗布することが不要な、釦スイッチを提供することを目的としている。
【課題を解決するための手段】
【０００９】
請求項１に記載の発明によれば、ハウジングに組み込まれて固定されたばね部及びばね突起部と、ハウジング内を摺動する摺動体と、摺動体の上端部に取り付けられた押し釦部とを備え、更に、摺動体が摺動方向に平行に延びる係合突起片を備え、ハウジングが摺動方向に平行に延びるガイドレールを備え、前記ばね部及びばね突起部が摺動体をハウジングに対して摺動方向と略直角方向に付勢することにより、摺動体の係合突起片の摺動方向に平行な面を、ハウジングのガイドレールの摺動方向に平行な面と接触させるとともに、接触した状態で摺動体の係合突起片をガイドレールの摺動方向に平行な面に沿って滑らかに摺動させ、それにより静止時及び摺動時の摺動体のハウジングに対する位置と、押し釦部のハウジングに対する位置とを定め、押し釦部とハウジングとの間の隙間を極めて小さく設定したことを特徴とする、釦スイッチが提供される。
【００１０】
すなわち、請求項１の発明では、摺動体の係合突起片とハウジングのガイドレールが面と面で接触し、また、摺動時には摺動体の係合突起片とハウジングのガイドレールは面と面で接触した状態で、摺動体の係合突起片がばねの付勢とハウジングのガイドレールの案内によりガイドレールに沿って摺動する。従って、静止時及び摺動時における摺動体の係合突起片とハウジングのガイドレールとの間の隙間は略ゼロで位置が決まり、押し釦部とハウジングの間の隙間も極めて小さく設定することができる。摺動体の係合突起片とハウジングのガイドレールとの接触面に直角方向に働く力は、接触面全体に分散され、摺動時に局所的に集中する摩擦力又は引っかかり等がなくなり、摺動体の係合突起片はハウジングのガイドレールに沿って滑らかに摺動し、グリスの塗布が不要となる。
【００１１】
請求項２に記載の発明によれば、前記ばね部及びばね突起部が一体成形された樹脂製であることを特徴とする、釦スイッチが提供される。
【００１２】
すなわち、請求項２の発明では、ばね部及びばね突起部を金属製とする場合に比較し、ばね部及びばね突起部を安価に製造することができ、ばね部及びばね突起部を別部品とする場合に比較し、製作工数及び組立工数が低減され、かつ組立精度の高い釦スイッチを提供することができる。
【００１３】
請求項３に記載の発明によれば、前記ばね部及びばね突起部とハウジングとが一体成形された樹脂製であることを特徴とする、釦スイッチが提供される。
【００１４】
すなわち、請求項３の発明では、ばね部及びばね突起部をハウジングと別部品とする場合に比較し、製作工数及び組立工数が低減され、かつ組立精度の高い釦スイッチを安価に提供することができる。
【発明の効果】
【００１５】
各請求項に記載の発明によれば、押し釦部とハウジングとの間の隙間を極めて小さくすることができ、摺動体が滑らかに摺動し、グリスの塗布が不要になるという共通の効果を奏する。
【発明を実施するための最良の形態】
【００１６】
以下、添付図面を用いて本発明の実施形態について説明する。
図２と図３は、従来の釦スイッチを示す。図２に示すように、押し釦部は、全周、即ち、略長方形の押し釦部においてはその４辺全てについて、ハウジングとの間に大きな隙間が設けられている。
【００１７】
図１は、本発明を釦スイッチに適用した場合の、実施形態の概略構成を説明する断面図である。ハウジング１０にはばね部４０が設けられ、ばね部４０には更にばね突起部４１が設けられている。ばね部４０とばね突起部４１は一体に成形され、樹脂製又は金属製とすることができ、樹脂製であることが好ましい。ばね部４０及びばね突起部４１は、ハウジング１０に組み込まれ、一体になるように固定されるが、ハウジング１０と一体成形することも、また、ハウジング１０と別の部材とし、ハウジング１０に取り付ける構造とすることも可能である。
【００１８】
ばね突起部４１は摺動体１４に当接し、ばね部４０は摺動体１４を摺動方向と略直角の方向に付勢し、摺動体１４の突起片３２がハウジング１０に設けられたガイドレール３１に押し付けられ、ガイドレール３１の摺動方向に平行な面と摺動体１４の突起片３２の摺動方向に平行な面が接触し、摺動体１４のハウジング１０に対する位置が決まる。ガイドレール３１は摺動体の突起片を受ける側の面のみを備えた片側レールとすることができる。
【００１９】
ばね部４０及びばね突起部４１の付勢は、摺動体１４がハウジング１０に対して摺動する間も同様に作用し、摺動体１４の係合突起片３２とハウジング１０のガイドレール３１とが面と面で接触した状態で、摺動体の係合突起片はばねの付勢とハウジングのガイドレールの案内によりガイドレールに沿って摺動する。
【００２０】
釦スイッチの押し釦部１２は摺動体１４の上端部に取り付けられる。摺動体１４のハウジング１０に対する位置が決まるために、押し釦部１２のハウジング１０に対する位置も決まる。即ち、図１では摺動体１４はハウジング１０に対してＣ方向に付勢されて位置が決まるが、摺動体の位置が決まることにより、押し釦部の位置も決まり、押し釦部１２とハウジング１０との間の隙間ＡとＢをともに極めて小さく設定することができる。図１に対して直角方向の断面についても同様の構造により押し釦部１２とハウジング１０との間の隙間を極めて小さく設定することができる。
【００２１】
摺動体１４の係合突起片３２とハウジング１０のガイドレール３１とが面と面で接触することにより、この接触面に直角方向に働く力は、接触面全体に分散される。この結果、摺動面に局所的な摩擦力又は引っかかりが発生することがなく、摺動体１４はハウジング１０に対して滑らかに摺動する。従って、摺動体１４の突起片３２とハウジング１０のガイドレール３１にグリスを塗布することは不要である。
【図面の簡単な説明】
【００２２】
【図１】本発明を釦スイッチに適用した場合の、実施形態の概略構成を説明する断面図である。
【図２】従来の釦スイッチの平面図である。
【図３】図２に示す従来の釦スイッチを図２の直線I-I方向から見た断面図である。
【符号の説明】
【００２３】
１０    ハウジング
１２    押し釦部
１４    摺動体
３０    リブ
３１    ガイドレール
３２    係合突起片（破線部）
４０    ばね部
４１    ばね突起部
Ａ    押し釦部とハウジングとの隙間
Ｂ    押し釦部とハウジングとの隙間
Ｃ    ばねの付勢方向
【図１】
2008066226.tif 000003
【図２】
2008066226.tif 000004
【図３】
2008066226.tif 000005